(57)【要約】【課題】  本発明の目的は、熱化学的変換により排気ガスの浄化のために用いる最新鋭の装置の欠点を除去することである。    【解決手段】  排気ガス、特にフッ素を含む化合物から成る排気ガスの浄化のための装置において、中央の排気ガス供給（９）の回りの単一のホールサークルに燃焼ガスと酸素を別個に供給するために、穴（７、８）がリングバーナー（５）に作られている。リングバーナーは燃焼室（１）に配されている。燃焼室は円筒形ジャケット（４）と端面（１６）の間の環状ギャップ（２０）まで近づいている。追加の酸素又は追加の空気が環状ギャップ（２０）に導入される。
2005522660.tif 000002
【特許請求の範囲】
【請求項１】
窒素及び汚染物質を含む排気ガス、特にフルオロカーボン化合物や他のフッ素化合物を含む排気ガスを、後続する洗浄ユニットと一体化した円筒形の燃焼室における熱化学的変換により浄化する装置にして、
中央の排気ガス供給部と、燃料ガス及び酸素の別個の供給部とを備えたバーナーを用いる装置において、
リングバーナーには、単一のホールサークル上に配され、燃料ガスと酸素の局所的な交互の同時の供給を保障する穿孔が設けられ、
上記燃焼室は、円筒形ジャケットと上記バーナーに向かって位置する該燃焼室の端面との間の環状隙間を除いて閉じており、
ボディ、好ましくは耐熱及び断熱の材料でできたプレートが、上記燃焼室の上記端面の前に配され、
追加の酸素又は追加の空気を供給するための幾つかのパイプが隙間に配されており、これらパイプが上記隙間の周囲に分配され、上記燃焼室の軸に向かう方向に上記隙間まで延びる
ことを特徴とする装置。
【請求項２】
窒素及び汚染物質を含む排気ガス、特にフルオロカーボン化合物や他のフッ素化合物を含む排気ガスを、後続する洗浄ユニットと一体化した円筒形の燃焼室における熱化学的変換により浄化する装置にして、
中央の排気ガス供給部と、燃料ガス及び酸素の別個の供給部とを備えたバーナーを用いる装置において、
リングバーナーには、単一のホールサークル上に配され、燃料ガスと酸素の局所的な交互の同時の供給を保障する穿孔が設けられ、
上記燃焼室は、円筒形ジャケットと上記バーナーに向かって位置する該燃焼室の端面との間の環状隙間を除いて閉じており、
ボディ、好ましくは耐熱及び断熱の材料でできたプレートが、上記燃焼室の上記端面の前に配され、
ダブルパイプが上記燃焼室の円筒形ジャケットと同心に配されており、従って追加の酸素又は追加の空気を供給するための環状チャネルを形成する
ことを特徴とする装置。
【請求項３】
請求項１又は２に記載の装置において、上記リングバーナーの表面の上記穿孔がホールサークル上に均等に分布し、全て同じ直径を有することを特徴とする装置。
【請求項４】
請求項１又は２に記載の装置において、上記リングバーナーの表面の上記穿孔がホールサークル上に均等に分布し、交互する二つの異なる直径を有することを特徴とする装置。
【請求項５】
請求項１〜４のいずれか一項に記載の装置において、
二つの環状チャネルが上記リングバーナー内に設けられ、
上記リングバーナーの上記穿孔がこれら環状チャネルの一つに交互に接続し、
上記リングバーナーが、燃料ガスをこれら環状チャネルの一つに供給するための接続部と、酸素を他の環状チャネルに供給するための接続部を備えることを特徴とする装置。
【請求項６】
請求項１〜５のいずれか一項に記載の装置において、
ボディ、好ましくはプレートが、断熱様式で上記隙間の領域にある上記燃焼室の上記端面の前に配され、
上記ボディ又はプレートは耐熱材料からできており、その直径は上記燃焼室の直径より大きいが、上記端面（１６）の直径より小さいことを特徴とする装置。
【請求項７】
請求項１〜５のいずれか一項に記載の装置において、
１５ｍｍ〜６０ｍｍ、好ましくは２０ｍｍの穹窿の深さを有するドーム形ボディが、断熱様式で上記隙間の領域にある上記燃焼室の上記端面の前に配され、その凹面は上記リングバーナー（５）の方を向いており、
ボディは耐熱の耐食鋼からでき、その直径は上記燃焼室の直径より大きいことを特徴とする装置。
【請求項８】
請求項１又は３〜７のいずれか一項に記載の装置において、酸素の追加供給のためのパイプの軸が、上記燃焼室の軸に対して６０°〜８５°、好ましくは８０°の角度で傾いていることを特徴とする装置。
【請求項９】
請求項１又は３〜７のいずれか一項に記載の装置において、酸素の追加供給のためのパイプが、上記燃焼室の上記端面の端を越えて１５〜５０ｍｍ、好ましくは２５ｍｍ延び、上記燃焼室の上記円筒形ジャケットと上記端面の間の隙間に至るが、上記円筒形ジャケットの端を越えないことを特徴とする装置。
【請求項１０】
請求項２〜７のいずれか一項に記載の装置において、上記燃焼室の上記円筒形ジャケットと、そこに同心に配された追加の酸素又は追加の空気の供給のための上記ダブルパイプとの間の上記環状チャネルが１．５〜２ｍｍの半径方向の幅を有することを特徴とする装置。
【請求項１１】
請求項２〜７又は１０のいずれか一項に記載の装置において、上記環状チャネルが、上記燃焼室の上記円筒形ジャケットと上記端面との間の上記隙間に通じており、上記燃焼室の軸の方向と平行であることを特徴とする装置。
【請求項１２】
請求項２〜７又は１０のいずれか一項に記載の装置において、上記環状チャネルが、上記燃焼室の上記円筒形ジャケットと上記端面との間の上記隙間に通じており、上記燃焼室の軸に対して９０°の角度で放射状に該軸の方に向いていることを特徴とする装置。
【請求項１３】
請求項２〜７又は１０のいずれか一項に記載の装置において、上記環状チャネルが、上記燃焼室の上記円筒形ジャケットと上記端面との間の上記隙間に通じており、上記燃焼室の軸に対して９０°の角度で放射状に該軸から離れる方に向いていることを特徴とする装置。
【発明の詳細な説明】
【技術分野】
【０００１】
本発明は、熱化学的変換により汚染物質が入った排気ガスを燃焼室で浄化するための装置に関する。
【背景技術】
【０００２】
専門工場、特に、半導体工場で用いられるプラズマプロセスを用いて物質を除去するための気相堆積ユニットや施設では、汚染物質が入った排気ガスが作られる。これらの排気ガスの重要なグループはフッ素を含む炭化水素や他のフッ素化合物を含む。これらの汚染物質に加えて、排気ガスは主にキャリアガスとして窒素を含む。該汚染物質とそれらの反応生成物は有毒で、環境に有害である。ゆえに、排気ガスはそれらを除去すべく適切な装置で浄化されなければならない。そのような排気ガスの浄化のための装置では、排気ガスに含まれる汚染物質は燃焼室で熱化学的に変換される。燃焼室では、汚染物質は、純粋な酸素中や空気中で燃料ガスを燃焼させることにより作られる炎の影響を受けやすい（特許文献１）。その後、この変換プロセスの有害な副産物（例えば、ＨＦ）は、吸収又は洗浄プロセスにより燃焼室で処理されて排気ガスから除去される。
【０００３】
通常、排気ガスの浄化のための装置は多段階のプロセスを用いる。熱化学的分解、酸化、冷却、吸収、加水分解、そして洗浄による液体反応生成物及び固体反応生成物の除去のようなサブプロセスが行われる。この目的のために、先ず排気ガスが燃焼室に導入され、その後、例えば洗浄の原理に従って働く少なくとも一つのプロセス装置を通る（特許文献２、特許文献３）。
【０００４】
排気ガスの浄化のための装置は多数の要件を満たさなければならない。浄化プロセスは非常に効率的でなければならない。すなわち、浄化された排気ガスに含まれる主な汚染物質の量ができるだけ少なくなければならない。加えて、二次汚染物質の効率的な除去が洗浄ユニットで実現されなければならない。さらに、排気ガスの浄化プロセスは経済的でなければならない。特に、燃料ガスの消費がきれいにしようとする排気ガス流れの体積に比べて少なくなければならない。最後に、有毒な一酸化炭素、とりわけ窒素酸化物が浄化プロセス中に作られないことが保障されなければならない。
【０００５】
燃焼室のデザイン、とりわけバーナーのデザインは、効率、経済性及び二次汚染物質ガスの非生産に決定的に影響する。
【０００６】
燃焼室は一般的に円筒形ボディとして構成され、バーナーが、典型的にはリングバーナーがその端面の一つに挿入される。排気ガスと燃料ガスの混合ガスが、前者は普通は中央の入り口を介して、後者は最も単純には環状隙間を介して、上記リングバーナーに供給される。いったん燃料ガスが点火装置により点火されると、炎が環状隙間の上で形成する。この炎に排気ガスが導入される。
【０００７】
燃料ガスの炎では、同時に供給される酸素（Ｏ２）の効果の下で、幾つかの反応が起こる。最も重要なことは、汚染物質ガスを熱的に活性化し、汚染物質ガス（例えば、ＣＦ４、Ｃ２Ｆ６、ＣＨＦ３）を加水分解性及び吸収性の有害な化合物（例えば、ＨＦ）と無害な化合物（例えば、ＣＯ２）に化学的に変換するために、燃料ガス、例えばプロパン（Ｃ３Ｈ８）、メタン（ＣＨ４）、水素（Ｈ２）又は前記ガスの混合ガスを燃焼させることである。反応動力学のために、汚染物質ガスの望ましい変換が完了することは期待できない。これは、燃料ガスと酸素が化学量的比（例えば、ＣＨ４とＯ２が１：２の比、又はＣ３Ｈ８とＯ２が１：５の比）で供給される場合、当てはまらない。前記ガス混合物のいわゆるλ値は１である（空気比λは、燃焼プロセスに供給される酸素の量の完全燃焼に必要な量に対する比である）。排気ガスにおける不活性ガス（Ｎ２）の高い含有量は反応動力学にマイナスに影響し、汚染物質ガスの変換が減少することになる。
【０００８】
結局、浄化プロセスの効率は好ましくない。すなわち、浄化した排気ガスに残る汚染物質の量が高すぎる。
【０００９】
燃料ガスの酸素の比が変わり、燃料ガスの量が化学量的比（λ値＜１）の時よりも高くなると、汚染物質の変換の程度が改善し、窒素酸化物の形成が減少する。しかし、同時に有害な一酸化炭素と未燃焼の燃料ガスがガス浄化装置から放出される。他方で、特に、フッ素を含む排気ガスの場合、化学量的比（供給された混合ガスのλ値＞１）に比べて燃料ガス／酸素の混合ガスに含まれる酸素の量の増加が、汚染物質の変換をひどく悪くし、浄化した排気ガスに許容できない程高い汚染物質の含有量が残ることになる。加えて、有害な窒素酸化物が酸素に富む高温の炎で作られる。
【００１０】
汚染物質が入った排気ガス、特にフッ素を含む化合物を有する排気ガスを燃料ガスの炎で熱化学的変換により浄化することは、中央の排気ガスの入り口を備えたバーナーを用いることにより発展してきた。このバーナーでは、燃料ガス／酸素の混合ガスが、二つの同心環状隙間を介して、又は二つの同心ホールサークルに配された穿孔を介して供給される（特許文献４）。異なる組成の二つの燃料ガス／酸素の混合ガスが空間的に別個に供給されると、異なる熱化学的効果を有する二つの火炎部が実現する。還元効果を有する火炎部は、酸素の化学量的比に比べて燃料ガスが超過（λ＜１）することにより内側の環状隙間又は内側の穿孔の上に得られる一方、酸化効果を有する火炎部は酸素の超過（λ＞１）により外側の環状隙間又は外側の穿孔の上に得られる（特許文献４）。Ｈ原子やＣＨＸ基のような還元反応物の高めの濃度のために、増加した汚染物質分子はＯ２の欠乏した火炎部で分解される。ここで、供給される燃料ガスは完全には消費されない。燃料ガスの完全燃焼と、還元作用する火炎部で作られるＣＯのＣＯ２への変換は、第一の火炎部を取り囲む、酸素の超過した第二の火炎部で生じる。
【００１１】
しかしながら、異なるガス混合物を空間的に別個に供給するために、還元作用する内側の火炎部と酸化作用する外側の火炎部を作るバーナーがガス浄化のために用いられても、専門的な適用に関して制限がある。例えば、還元条件の下で熱反応に必要な温度は、バーナーからある距離を置いたところにだけ、そして特に限られた体積だけ実現する。他方で、燃料ガス及び二次汚染物質（例えばＣＯ）の完全な酸化が保障される程度に、酸素が酸化作用する火炎部に供給されなければならない。結局、炎の外皮（envelope）が、還元作用する火炎部の体積の制限にかなり寄与する。ゆえに、上で述べたようなバーナーを有し、また還元作用する及び酸化作用する燃料ガス／酸素の混合ガスが別個に供給されるガス浄化装置は、比較的小さい排気ガスの体積に対してだけ適する。
【００１２】
ゆえに、大量の排気ガスを効率的に浄化できるように、二つの還元作用する火炎部が、二つの同心ホールサークル上に配された二つの同心のリング又は穿孔を用いて実現するバーナーが提案されている。両方の火炎部は、汚染物質の変換にとって好ましい条件がある体積を増加させるためにλ値が１より小さい燃料ガス／酸素の混合ガスを用いて操作される（特許文献５）。この解決法では、未燃焼の燃料ガスと還元作用する火炎部で作られた一酸化炭素の完全な酸化が、酸素又は空気の追加の別個の供給により実現する。この追加の酸素又は追加の空気は、バーナーの回り又は近くに配されたノズル又はスロットを介して導入される。このようにして、１より大きいλ値で特徴付けられる燃料ガス／酸素の混合ガスは、還元作用する火炎部の外皮において作用する。結局、炎の外皮は追加の酸化作用する火炎部を構成する（特許文献５）。
【００１３】
先に述べた解決法はまだ欠点を持っている。それは、炎の周囲がそこで作用する酸素に晒されるという事実のため、汚染物質の変換のために有利な還元作用する火炎部が制限されることである。さらには、バーナーに近い追加の酸素の入り口は炎の一部で非常に高温になるので、そこで有害な窒素酸化物が作られる。
【００１４】
燃料ガス／酸素の混合ガスを使用するバーナーも、バーナーのデザインが特有の操作条件（汚染物質ガスのタイプ、排気ガスの量及び生じる混合ガスの量）に合うように正確に適合されなければならない点で問題がある。燃料ガスの酸素に対する割合が変えられると、その結果としてバーナーからの放出速度と炎の速度が変わる。しかしながら、炎の速度より高い燃料ガスの混合ガスの放出速度は、炎が消えるというリスクを伴う。他方で、混合ガスの放出速度が炎の速度よりも小さいと、バックファイヤーが生じるかもしれない。バーナーを適切に適合させることにより両方のリスクが取り除かれなければならない。しかしながら、ガス浄化装置は、バーナーを様々なタイプの汚染物質ガスや様々な量の排気ガスに適合させる必要なく安全に操作できなければならない。バーナーを適合させる必要は不都合である。
【００１５】
燃料ガスと酸素がバーナーに別個に供給されると、先に述べた操作条件、すなわち汚染物質ガスのタイプと排気ガスの量が、バーナーのデザインを変える必要なく操作の間に広範囲に変わる。供給される燃料ガスと酸素の量を適切に制御することにより適合が行われる。燃料ガスと酸素がバーナーに別個に供給されると、還元及び酸化作用する火炎部における排気ガス処理が可能である。適切なバーナーは、二つの同心サークル上に配された二つの同心のスロット又は穿孔を備えている。燃料ガスと酸素は１より小さいλ値に対応する比で別個に導入され、いったん燃料ガスと酸素がバーナーの上で混ざると、還元作用する炎がバーナーの上に形成する。バーナーの周囲から追加の酸素又は空気が炎の外皮に供給されると、酸化作用する火炎部が得られる。ここでは、残った燃料ガスが変換され、還元作用する火炎部で作られたＣＯが酸化されてＣＯ２になる。
【００１６】
先に述べたバーナーのデザインと操作様式は還元作用する火炎部が制限されたままになるという欠点を有し、汚染物質ガスの変換プロセスの効率と、熱い酸化作用する火炎部における窒素酸化物の製造の効率が制限されることになる。別な不利な点は、直接取り囲んでいるガス混合物の局所的なλ値が非常に低い、すなわち１に近い部分で煤が形成されることである。
【特許文献１】US5183646
【特許文献２】EP89110875
【特許文献３】DE4320447
【特許文献４】EP0735321A2
【特許文献５】EP01120841
【発明の開示】
【発明が解決しようとする課題】
【００１７】
本発明の目的は、熱化学的変換により排気ガスの浄化のために用いる最新鋭の装置の欠点を除去することである。大量の排気ガスがきれいになり、高い効率を有し且つ燃料ガスの消費の点から経済性の良い汚染物質になることが保障されなければならない。煤がバーナーに堆積してはならない。浄化された排気ガスは、非常に低量の未燃焼の燃料ガス、一酸化炭素、及び特に窒素酸化物を有しなければならない。
【課題を解決するための手段】
【００１８】
本発明によれば、この目的は請求項１〜１３に従う装置により達成される。
【００１９】
本発明の解決法は次の仮定に基づく。つまり、汚染物質が入った排気ガス、特にフルオロカーボン化合物、他のフッ素を含む化合物、及びキャリアガスとしての窒素を含む排気ガスの浄化が、熱化学的変換により円筒形燃焼室で行われる。燃焼室はバーナーを備え、後続する洗浄ユニットと一体化している。バーナーは中央の排気ガスの入り口を有する。燃料ガスと酸素はバーナーに別個に供給され、炎を形成するための放出ノズルまで至る。燃焼室から出る熱い処理された排気ガスは洗浄ユニットで洗浄剤により後処理される。後処理の間、熱い排気ガスは冷却され、有害な二次生成物は排気ガスから除去される。
【００２０】
本発明によれば、バーナーは、燃料ガスと酸素の別個の供給のために穿孔を備えたリングバーナーである。穿孔は、中央の排気ガスの入り口の回りの単一のホールサークル上に配されている。この別個の供給は、隣接する穿孔を介して局所的に交互に燃料ガス及び酸素を導入することにより実現する。この目的のために、二つの環状チャネルがリングバーナーに配される。このチャネルは、ホールサークル上の穿孔に交互に接続している。接続パイプがそれぞれの環状チャネルから、バーナーから出ている。燃料ガスは接続パイプの一つを通してバーナーに供給され、酸素は他のパイプを通して供給される。
【００２１】
穿孔を介する燃料ガスと酸素の交互の供給により、両方のガスがバーナーから出ると即座に完全に混ざることが保障される。炎はバーナーの表面のすぐ近くで形成する。このようにして、熱い火炎部だけが、出て来る汚染物質ガスに接触する。汚染物質ガスは、燃料ガスの一部と混ざることが妨げられている。これにより、バーナーにおける、特に排気ガスの入り口近くの煤の堆積が明らかに最小になる。
【００２２】
先に述べたバーナーは、バーナーのすぐ上に存在する燃料ガス／酸素の混合ガスにおいて０．６までのλ値に対応する酸素欠乏（欠損）を有する酸素とは別個に供給される燃料ガスを燃焼させるのに特に適する。リングバーナーは、非常に様々な燃料ガスと酸素流れのために効果的なエネルギー出力を有する安定した均一な炎の形成を保障し、従って様々な汚染物質ガスと排気ガス流れへの適合が可能になる。この適合により、バーナーを、適合した穿孔を有する別なバーナーに交換する必要がない。フルオロカーボン及び他のフッ素化合物に加えて、バーナーは、ＳｉＨ４、ＷＦ６及びＴＥＯＳのような反応性汚染物質を除去するのに適する。
【００２３】
本発明によれば、このバーナーは、燃焼室の円筒ジャケットとバーナーに向かって位置する燃焼室の端面との間の環状隙間を除いて、閉じている燃焼室で用いられる。このようにして、空気、従って酸素が、例えば燃焼室の壁にあるスロットを介して、バーナーの付近に流れない。燃焼室は少なくとも十分に気密であり、外側から流入する空気はバーナーに供給される酸素の約３％より少なくなる。
【００２４】
燃料ガスと酸素がバーナーに別個に供給され、λ値が例えば０．８である混合ガスに対応する燃料ガス超過でバーナーが操作されると、還元作用する火炎部がバーナーの上に形成しない。しかし、全体の炎は汚染物質の熱化学的変換の間、還元効果を有する。バーナーの外側から空気が流れ込まないので、すなわち炎が酸素に晒されないので、還元作用する条件が炎の外皮においても得られる。最終的に、ほぼ燃焼室の全体積にわたって還元作用する条件が存在する。還元及び酸化作用する火炎部を有する炎の体積に比べて、高い濃度のＨ原子とＣＨ３基、すなわち汚染物質（例えば、Ｃ２Ｆ６、ＣＦ４、ＣＨＦ３）を還元してＨＦのような他のガス状反応生成物にするのに必要な反応物を有する大きめの体積が実現する。反応物の熱活性化に必要なエネルギーは、燃料ガスの一部を燃焼させることにより、すなわち平行して進行する酸化プロセスにより作られる。先に述べた条件のために、本発明に従う装置は、還元及び酸化作用する火炎部を有する装置より低い温度（Ｔ＜〜１２００°）で操作できる。還元作用する反応物の高めの濃度により、高めの温度であれば反応物に及ぼしていたであろう良い影響を補償し、又は過補償する。このようにして、汚染物質は非常に効率良く比較的低い温度で変換される。汚染物質の熱化学的変換が比較的低い温度で起こり、反応室で酸素欠乏が生じるので、排気ガスの中性ガスの部分から窒素酸化物を形成するための条件は大きく制限される。結局、燃焼室から出る処理済みの排気ガス流れに含まれる窒素酸化物の量は、かなり減少する。
【００２５】
先に述べた操作の様式では、燃焼室の円筒形ジャケットから出る熱い排気ガス流れは、燃焼プロセスと熱化学的変換の反応生成物、すなわち主にＣＯ２、ＨＦ、ＣＯ及びＨ２Ｏを含むだけでなく、燃焼室の酸素欠乏のために未燃焼の燃料ガス成分（ＣＨ４とＣＯ）も含む。熱い排気ガスは燃焼室の端では完全に酸化されるわけではない。
【００２６】
完全燃焼のために、排気ガス流れは他の酸化プロセスに晒される。この目的のために、本発明の第一の実施形態では、二本以上のパイプが、燃焼室の円筒形ジャケットとバーナーに向かって位置する燃焼室の端面との間の前記環状隙間に配される。これらパイプは、隙間の周囲に配され、燃焼室の軸の方に向き、追加の酸素又は空気を供給する働きをする。別な実施形態では、追加の酸素又は空気は、燃焼室の円筒形ジャケットの端面に配された環状チャネルを介してその周囲に沿って均等に前記環状隙間に供給される。さらには、ボディ、好ましくは耐熱物質で作られたプレートが、断熱様式で（例えば、保持ウェブにより）燃焼室の金属の端面の前に配される。熱い排気ガス流れはこのプレートに当たる。環状隙間を介して後続する洗浄ユニットに達するように、それは９０°に曲がっており、放射状に分散される。この屈折と放射状の分散は、熱い排気ガス流れの乱流を引き起こす。先に述べたプレートは、熱い排気ガス流れが燃焼室の端面に接触することを妨げる。端面は洗浄ユニットの境界をも定め、ゆえに洗浄液（２０〜９０℃の温度範囲）により冷却されるので、比較的冷たい。これとは異なり、断熱様式で配されたプレートは、燃焼室に向いた面ではほとんど熱い排気ガス流れの温度、すなわちＴ＞８００℃にまで熱くなる。熱い排気ガスが隙間から流れ出る一方、酸素（又は空気）は隙間に配されたパイプを介して入り、後者と接触する領域で排気ガス流れにおける乱流を増大させる。入れられた酸素（又は空気）の量は、１より大きいλ値（好ましくはλ＝１．２）が、供給された酸素（又は供給された空気）と熱い排気ガスの混合ガスで実現する量である。これは次のことを意味する。つまり酸素（又は空気）は、燃焼室における酸素欠乏が少なくとも中和される程度に供給される。先に述べた、熱い排気ガスと供給される酸素（又は供給される空気）の混合ガスのλ値により、酸化作用する条件が主な温度（８００°＜Ｔ＜１２００°）で実現する。好ましくはここで起こる反応は、二次燃焼の性質を有する。主要な燃焼プロセスにおいて燃焼室で作られたＣＯと残りの未燃焼の燃料ガスが、ＣＯ２とＨ２Ｏに変換される。円筒形ジャケットの端と熱い前記プレートの間の領域における温度は、フッ素を含む汚染物質の変換に必要な温度より低いが、ＣＯと残りの燃料ガスの燃焼のためには十分高い。
【００２７】
作られる強い乱流、それにより生じる完全な混合、この領域の排気ガス流れの温度レベル、及び適合した高いλ値により、洗浄ユニットへの遷移領域におけるかなり限られた空間で、完全な、効率的な後燃えが保障される。
【００２８】
いったん完全燃焼が終了すると、排気ガスは洗浄ユニットに入る。ここで、熱い排気ガス流れは冷却され、ＨＦは中和され、燃焼プロセスの間に形成された固形粒子は洗い流される。次いで、浄化された、冷却済み排気ガスは製造プラントの排気チャネルに通される。
【００２９】
本発明に従う装置を用いることは、それが必要な燃料ガスの固有の量の減少を保障し、従って排気ガス浄化プロセスの経済性を改善する点で有利である。必要な燃料ガスの量の減少は、空気又はＯ２がバーナーの付近に達することが妨げられるという事実のため、減少した全体の流れにより実現する。上で述べた特別な解決法は、非常に効率的な汚染物質の変換プロセスを保障する。同時に、バーナーに関する解決法は、バーナーのデザインを適合させる（改造する）必要なく、広域の様々な燃料ガス／酸素の比、排気ガス中の様々な汚染物質ガス、及び様々な汚染物質ガスの量のために、安定した炎の形成を保障する。
【００３０】
特に著しい利点は、浄化された排気ガスと共に放出される窒素酸化物の量が強力に減少することである。この放出は、両方の装置が同様の条件下で操作されるならば、リングバーナー、燃料ガス／酸素の混合ガスの供給、及びリングバーナーの領域における酸素の追加供給を用いる最新鋭の装置よりも約五倍小さい。
【００３１】
本発明に従う装置の別な利点は、比較的低いエネルギー入力を必要とする汚染物質（例えば、ＳｉＨ４）を含む排気ガスの浄化にも、熱化学的変換が装置のデザインを変えることなく装置が用いられることである。
【００３２】
リングバーナーのデザインに関しては、個々の穿孔は中央の排気ガス入り口の回りの単一のホールサークル上に均一な直径で開けられ、このサークルの周囲に均等に分布するのが便利である。燃料ガスと酸素をこの穿孔に交互に供給する間、穴から出て来るガスが二つの隣接する穿孔から出るガスと直接接触するという事実により、燃料ガスと酸素の完全な混合が保障される。
【００３３】
しかしながら、中央の排気ガス入り口の回りのホールサークル上に均等に分布した穿孔が二つの異なる直径を有することも有効である。例えば、バーナーがメタン及び酸素を用いて操作される際、還元する条件（燃焼室に入り、バーナーの表面上で直接混合するガス（燃料ガスと酸素）の０．８のλ値に対応する）が燃焼室で実現するならば、必要なメタンガス流れは酸素のそれの約０．６倍である。穿孔の領域が先に示したファクターにより異なるならば、バーナーの穿孔における二つのガスの放出速度を互いに適合させることが可能である。このようにして、例えば炎の安定性が改善できる。
【００３４】
先に述べたリングバーナーの実施形態では、燃料ガスと酸素をバーナー表面上の隣接する穿孔へ交互に別個に供給することは、バーナー内部に二つの環状チャネルを配し、バーナー表面の穿孔をこれら環状チャネルの一つに交互に接続することにより達成される。バーナーは、これら環状チャネルの一つには燃料ガス供給パイプを、他の環状チャネルには酸素供給パイプを備えている。
【００３５】
燃焼室の端面の前の前記ボディに関しては、このボディがドーム形をしており、１５〜６０ｍｍ、好ましくは２０ｍｍの穹窿の深さを有し、燃焼室の直径よりも大きい直径だが端面の直径よりも小さい直径を有することも有効である。このドーム形ボディは耐熱性の耐食鋼でできており、その凹面がリングバーナーの方を向いて断熱様式で配されている。このようにして、燃焼室から出る熱い排気ガスと入れられる追加の酸素の混合に不利に影響するかもしれない、燃焼室から出る熱い排気ガスがこのボディの前に停滞することが妨げられる。
【００３６】
パイプが、酸素（又は空気）を燃焼室の端にある前記隙間に付加的に供給するために配されるならば、これらパイプの軸は燃焼室の軸に対して、６０°〜８５°、好ましくは８０°の角度だけ傾けられるのが便利である。これにより、洗浄ユニットからの洗浄剤が燃焼室に入らず、傾いたパイプに沿って外側に流れることが保障される。
【００３７】
加えてこのパイプは、燃焼室の端面の端を越えて、燃焼室の円筒形ジャケットと端面の間の隙間まで約１５〜５０ｍｍ、好ましくは２５ｍｍだけ延びるのが便利であり、円筒形ジャケットの端は越えない。この寸法により、洗浄剤が酸素（又は空気）の追加供給のためのパイプに入らず、このパイプの端が熱くなりすぎず、その結果腐食しないことが保障される。
【００３８】
環状チャネルが、酸素（又は空気）の前記環状隙間への追加供給のために配されるならば、環状チャネルは、燃焼室と同心に配される円筒形パイプを用いて実現されるのが便利であり、酸素（又は空気）の供給パイプは前記環状チャネルの向かいの端に配される。このようにして、チャネルの周囲に沿った均等な分布が実現する。加えて、環状チャネルは１．５〜２ｍｍの幅を有するのが便利である。
では本発明を装置の例示の実施形態を用いて、図１〜４の図面に則して説明する。
【発明を実施するための最良の形態】
【００３９】
装置は基本的に、耐食性の鋼からできたハウジング（２）に配され、耐食性の材料からできた円筒形燃料室（１）から成る。燃料室は、１００ｍｍの直径と４００ｍｍの高さを有する。ベースプレート（３）と円筒形ジャケット（４）の領域では、燃焼室は閉じられている。それで外気が流入できない。５０ｍｍの外径を有するリングバーナー（５）がベースプレート（３）の中央に配されている。リングバーナー（５）は、直径が１２ｍｍの中央穿孔（６）と、排気ガスを燃焼室（１）に供給するための接続部（９）を備えている。リングバーナー（５）の表面では、燃料ガスと酸素をリングバーナー（５）に別個に供給するために、１ｍｍの直径の穿孔（７）と１．２ｍｍの直径の穿孔（８）が、直径が３０ｍｍのホールサークル（２８）上に互いに等しい距離を置いて交互に配されている。リングバーナーには、接続部（１０）を介して燃料ガスが、接続部（１１）を介して酸素が供給される。リングバーナー（５）の内部では、供給された燃料ガスは環状チャネル（２９）に沿って分散し、供給された酸素は環状チャネル（３０）に沿って分散する。穿孔（７）は環状チャネル（２９）に接続し、穿孔（８）は環状チャネル（３０）に接続している。
【００４０】
燃焼室を操作するために、２０ｓｌｍ（標準の１分当たりのリットル）のＣＨ４と３２ｓｌｍの酸素がリングバーナーに供給される。バーナーのすぐ上に発生する酸素とＣＨ４の混合ガスは０．８のλ値に一致する。すなわち、それは酸素と燃料ガスのハイポ化学量的な混合ガスである。点火装置（１２）の作動の際、環状炎（１３）がリングバーナー（５）の上でその表面近くに形成する。この炎は、リングバーナー（５）の表面から離れたところで均一な断面を有する炎（１４）に変わる。酸素と燃料ガスの供給は、炎（１４）に向いたモニター（１５）のセンサー信号を用いて制御される。１６０ｓｌｍの排気ガスは、接続部（９）と中央穿孔（６）を介してこの炎に導入される。この排気ガスは基本的に１５８ｓｌｍの窒素と約２ｓｌｍのＣ２Ｆ６から成る。別個に供給される酸素と別個に供給されるＣＨ４の混合ガスのλ値のために、炎（１４）はいったん完全に発達すると、その全断面にわたって還元効果を有する。炎は空気、すなわちリングバーナー（５）の領域において外側から炎に作用する酸素に晒されないので、汚染物質ガスに対するこの還元効果は、炎の外皮において、また事実上燃焼室（１）の全体積（１７）にわたっても実現する。基本的にＣＨ４、Ｏ２及びＣ２Ｆ６は、炎（１３、１４）及び燃焼室の残りの体積においてＨＦ、ＣＯ２、ＣＯ及びＨ２Ｏに変換される。窒素酸化物の製造はほとんど回避される。高温の処理済の排気ガス（Ｎ２、ＨＦ、ＣＯ２及びＣＯから成る）と、８００〜１２００℃の温度範囲の未燃焼ＣＨ４との混合ガスが、矢印（１８）で示すように、高温のボディ（１９）に向かって燃焼室（１）の円筒部分から流出する。
【００４１】
高温のボディ（１９）は耐食性の鋼でできており、２６０ｍｍの直径と２ｍｍの厚さを有する。それは２０ｍｍの穹窿の深さのドーム形をしており、３００ｍｍの直径を有する冷却された端面（１６）の前に断熱されて配され、その凹面がリングバーナー（５）に向かっている。例示の実施形態に従う装置では、冷却された端面（１６）も４０ｍｍの穹窿の深さを有するドーム形である。冷却された端面（１６）の凸面が洗浄ユニット（２５）に向いている。ある実施形態（図１）では、ボディ（１９）の前に互いに１２０°の角度で配され、６ｍｍの外径を有する三本のパイプ（２１）が、端面（１６）の端を越えて、円筒形ジャケット（４）と燃焼室（１）の端面（１６）の間の６０ｍｍの広い隙間（２０）まで２５ｍｍ延びる。しかし、円筒形ジャケット（４）の端を越えて燃焼室には至らない。上記パイプは、燃焼室（１）の軸に対して８０°の角度で傾いている。パイプ（２１）は環状パイプ（２２）を介して互いに接続している。環状パイプはハウジング（２）の外側に配され、そこに追加の酸素が接続部（２３）を介して供給される。１１ｓｌｍの酸素が約６０ｍ／ｓの速度でパイプ（２１）を介して送入される。
【００４２】
別の実施形態（図２）では、ダブルパイプ（３３）が円筒形燃焼室（１）と同心状に配されており、それで環状チャネル（３２）が円筒形燃焼室とダブルパイプの間に形成される。追加の酸素が、この環状チャネルを介して、その周囲に沿って環状隙間（２０）に均等に供給される。２０ｓｌｍの酸素（又は１００ｓｌｍの空気）が環状チャネル（３２）に供給される。
【００４３】
高温の排気ガス流れと送入された酸素は、ボディ（１９）の前の隙間（２０）の領域で乱流のために互いに混ざる。ここで、酸素の未燃焼燃料ガスに対するハイパー化学量的比は、供給される追加の酸素と未燃焼ＣＨ４の混合を引き起こす。このガス混合物のλ値は１．２よりも高い。ゆえに、高温の排気ガスと供給される追加の酸素の乱流の混合ガスは、酸化効果を有する。第二の燃焼プロセスでは、未燃焼の排気ガスの構成成分が完全に燃焼する。特に、燃焼室（１）の還元する体積で作られたＣＯはＣＯ２とＨ２Ｏに変換される。
【００４４】
次いで、処理された排気ガスは、矢印（２４）に示すように洗浄ユニット（２５）に向かって隙間（２０）から流出する。洗浄液（２７）が接続部（２６）を介して上記ユニットに供給される。上記液は高温の排気ガスを冷却して５０℃よりも低くする。冷却された排気ガスに含まれるフッ化水素（ＨＦ）は加水分解され、洗浄液（１％の水酸化ナトリウム溶液）で中和される。
【００４５】
きれいになった排気ガスは、排気装置を直接介して又は半導体工場の中央排気ガスユニットを介して、矢印（３１）で示すように周囲の大気に排出される。
【００４６】
きれいになった排気ガスの一酸化炭素量は１０ｐｐｍである。窒素酸化物の排出はかなり減少する。例示の排気ガス浄化プロセスでは、それは０．１ｍｏｌ／ｍ３程である。
【図面の簡単な説明】
【００４７】
【図１】追加の酸素がパイプを介して供給される、排気ガスを浄化するための装置の概要的な縦断面図である。
【図２】追加の酸素が環状チャネルを介して供給される、排気ガスを浄化するための装置の概要的な縦断面図である。
【図３】リングバーナーの概要的な平面図である。
【図４】リングバーナーの概要的な断面図である。
【符号の説明】
【００４８】
１  燃焼室
２  ハウジング
３  ベースプレート
４  円筒形ジャケット
５  リングバーナー
６  中央穿孔
７  バーナーの穿孔
８  バーナーの穿孔
９  排気ガスのための接続部
１０  燃料ガスのための接続部
１１  酸素のための接続部
１２  点火装置
１３  環状炎
１４  均一な炎
１５  モニター
１６  冷却された端面
１７  燃焼室の体積
１８  矢印
１９  ボディ
２０  隙間
２１  追加の酸素のためのパイプ
２２  環状パイプ
２３  酸素のための接続部
２４  矢印
２５  洗浄ユニット
２６  洗浄液のための接続部
２７  洗浄液
２８  ホールサークル
２９  燃料ガスのための環状チャネル
３０  酸素のための環状チャネル
３１  矢印
３２  追加の酸素のための環状チャネル
３３  円筒形ダブルパイプ
３４  酸素のための接続部
【図１】
2005522660.tif 000003
【図２】
2005522660.tif 000004
【図３】
2005522660.tif 000005
【図４】
2005522660.tif 000006
【国際調査報告】
2005522660.tif 000007
2005522660.tif 000008
2005522660.tif 000009
2005522660.tif 000010
2005522660.tif 000011
2005522660.tif 000012